(57)【要約】【課題】セキュリティ性を要求される各種証明書及び有価証券類に対し、印刷物に印字された文字、消印又は割印等を有機溶剤等により消去し、改ざん行為を行うことを確実に検出するため、改ざん行為時の色変化の著しい変色効果インキ及びその印刷物を提供すること。【解決手段】基材の一部又は全部に、少なくとも水不溶性有機溶剤可溶型の油溶性染料、着色顔料及びワニスを含み、有機溶剤への浸漬により、変色効果を有するインキを用いた変色効果領域を少なくとも一つ有する変色効果印刷物を作製する。この変色効果インキは、少なくとも一種類以上の油溶性染料を１〜２０重量％と、少なくとも一種類以上の着色顔料を１〜２０重量％と、ワニスを５０〜９０重量％含有するものであり、油溶性染料は、着色顔料の配合重量と比較して、０．８５倍以上であることを特徴とする変色効果を有するインキ及びその印刷物である。【選択図】図２
2009149789.tif 000002
【特許請求の範囲】
【請求項１】
少なくとも水不溶性有機溶剤可溶型の油溶性染料、着色顔料及びワニスを含む変色効果インキであって、前記変色効果インキは、少なくとも一種類以上の前記油溶性染料を１〜２０重量％と、少なくとも一種類以上の前記着色顔料を１〜２０重量％と、前記ワニスを５０〜９０重量％含有するものであり、前記油溶性染料は、前記着色顔料の配合重量と比較して、０．８５倍以上であり、前記変色効果インキの変色前後の色差が、ＪＩＳ表色系に基づくΔＥ２０以上の色差であることを特徴とする変色効果インキ。
【請求項２】
前記変色効果インキに用いる少なくとも一種類以上の前記着色顔料は、前記油溶性染料の色相と色差がΔＥ５０以上の色相となる少なくとも一種類以上の着色顔料を用いることを特徴とする請求項１記載の変色効果インキ。
【請求項３】
前記変色効果インキは、酸化重合型オフセットインキであることを特徴とする請求項１又は２記載の変色効果インキ。
【請求項４】
基材の一部又は全部に、前記請求項１から前記請求項３のいずれかに記載の変色効果インキにより印刷された少なくとも一つの変色効果領域を有することを特徴とする変色効果を有する印刷物。
【請求項５】
請求項４記載の印刷物の、偽造防止印刷物及び／又は真偽判別印刷物としての使用。
【発明の詳細な説明】
【技術分野】
【０００１】
本発明は、印刷物等に印字及び記入した文字、消印、割印等を消去して印刷物等を再使用する化学的改ざん行為に対する抵抗力を付与するための印刷インキ及び印刷物であって、インキは、油溶性染料、着色顔料、ワニス、体質顔料及び添加剤等の助剤で構成されており、セキュリティ性を要求される有価証券類及び各種証明書類等の改ざん防止性に優れたインキ及び印刷物に関するものである。
【背景技術】
【０００２】
セキュリティ性を要求される各種証明書及び有価証券類に対し、印刷物等に印字及び記入した文字、消印、割印等を有機溶剤等により消去し、改ざんする行為を防止するために用紙やインキ等に変色効果等の有る材料を改ざん防止のために配合し、当該印刷物が有機溶剤等に接触した場合には印刷物に使用した用紙やインキ等が変色することによって改ざんを防止する方法がある。
【０００３】
しかしながら、有機溶剤を使用した改ざん行為の防止に対し、インキ及び印刷物を変色させようとすると、色がにじむ程度又はやや退色する程度で、顕著な変色効果を有するものではなかった。
【０００４】
例えば、水不溶性でかつ有機溶剤可溶性の蛍光染料粒子を用紙に内添又は塗工した用紙であって、通常の照明下では染料粒子の存在を確認できず、有機溶剤で改ざんを試みた箇所に紫外線を照射することにより特定の発光が現れることを特徴とする偽造防止用紙がある（特許文献１参照）。
【０００５】
また、結合剤マトリックスを形成することのできる少なくとも１つの化合物と、有機溶媒及び他の化学物質に対して感受性を有する少なくとも１つの染料とを含み、前述の結合剤マトリックスを形成する化合物から選択されることを特徴とする滲出性インクがある（特許文献２参照）。
【０００６】
【特許文献１】特開２０００−１２９５９６号公報
【特許文献２】特表平１１−５１０５４４８号公報
【発明の開示】
【発明が解決しようとする課題】
【０００７】
しかしながら、特許文献１は、水不溶性で有機溶剤に可溶な蛍光染料を用紙に分散しているため、紫外線を照射しなければ改ざんの有無を確認することができないという問題があった。
【０００８】
また、特許文献２は、染料や樹脂を三次元状に架橋させ、架橋内に溶剤が浸透することによって滲みが生じることを特徴とするものであり、印刷物を有機溶剤等に５分ほど浸漬させなければ改ざんの有無を確認できないという問題があった。
【課題を解決するための手段】
【０００９】
本発明の課題を解決するための手段として、少なくとも水不溶性有機溶剤可溶型の油溶性染料、着色顔料及びワニスを含む変色効果を有する変色効果インキであって、変色効果インキは、少なくとも一種類以上の油溶性染料を１〜２０重量％と、少なくとも一種類以上の着色顔料を１〜２０重量％と、ワニスを５０〜９０重量％含有するものであり、油溶性染料は、着色顔料の配合重量と比較して、０．８５倍以上であって、前述の変色効果インキの変色前後の色差が、ＪＩＳ表色系に基づくΔＥ２０以上の色差であることを特徴とする変色効果を有するインキであることを特徴としている。
【００１０】
また、変色効果インキに用いる少なくとも一種類以上の着色顔料は、油溶性染料の色相と色差がΔＥ３０以上の色相となる少なくとも一種類以上の着色顔料を用いる変色効果を有するインキであることを特徴としている。
【００１１】
また、本発明の変色効果を有するインキは、酸化重合型オフセットインキであることを特徴としている。
【００１２】
また、基材の一部又は全部に、変色効果を有するインキにより印刷された少なくとも一つの変色効果領域を有する変色効果印刷物であって、変色効果領域は、有機溶剤を塗布又は浸漬させることにより、塗布又は浸漬前後の色差がＪＩＳ表色系に基づくΔＥ２０以上の色差の変色効果を有する印刷物であることを特徴としている。
【００１３】
また、本発明の変色効果を有する印刷物は、水不溶性有機溶剤可溶型の油溶性染料を用いた変色効果領域として、少なくとも第一の領域及び第二の領域を有し、第一の領域と第二の領域の色差がΔＥ２０以上の色差であって、第一の領域及び第二の領域は、変色後の色相が等色となる変色効果を有する印刷物であることを特徴としている。
【００１４】
また、本発明の変色効果を有する印刷物は、水不溶性有機溶剤可溶型の油溶性染料を用いた変色効果領域として、少なくとも第一の領域及び第二の領域を有し、第一の領域と第二の領域が等色であって、第一の領域及び第二の領域は、変色後の色差がΔＥ３０以上の色差である変色効果を有する印刷物であることを特徴としている。
【００１５】
また、本発明の変色効果を有する印刷物は、水不溶性有機溶剤可溶型の油溶性染料を用いた変色効果領域として、第一の領域及び第二の領域と、油溶性染料を含まないインキにより印刷された第三の領域を有し、第一の領域、第二の領域及び第三の領域から選択される少なくとも二つ以上の領域の色相が等色の変色効果を有する印刷物であることを特徴している。
【００１６】
また、本発明の変色効果を有する印刷物は、水不溶性有機溶剤可溶型の油溶性染料を用いた変色効果領域として、第一の領域及び第二の領域と、油溶性染料を含まないインキにより印刷された第三の領域を有し、第一の領域と第二の領域の色差がΔＥ１０以上であって、第一の領域と第三の領域の色差がΔＥ２０以上であって、第二の領域と第三の領域の色差がΔＥ２０以上であって、第一の領域及び第二の領域は、変色後の色相が第三の領域と等色となる変色効果を有する印刷物であることを特徴としている。
【発明の効果】
【００１７】
本発明の変色効果を有するインキは、化学的改ざん行為に使用される特定薬品、有機溶剤及びその他の化学物質に接触した時に瞬時または３０秒以内に色相が変化するため、印刷物の改ざんを防止できるという効果を奏する。
【００１８】
また、本発明の印刷物は、化学的改ざん行為に使用される特定薬品、有機溶剤及びその他の化学物質に接触した時には、色相変化が顕著に生ずるため、改ざん行為を躊躇させる抑止効果及び容易に改ざん行為の痕跡の有無を確認することができる効果を奏する。
【発明を実施するための最良の形態】
【００１９】
本発明を実施するための最良の形態について、図面を基に説明する。図１は、ＣＩＥ色相環の色相を示す図を、図２は本発明のインキにて印刷した印刷領域の溶剤浸漬前後の色相変化を示す図を、図３は本発明のインキを用いた印刷物の一例を示す図を、図４は灰色から青色に色相が変化するインキの変色前後をＣＩＥ色相環により示す図を、図５は暗緑色から橙色に色相が変化するインキの変色前後をＣＩＥ色相環による図をそれぞれ示す。
【００２０】
なお、以下に述べる発明を実施するための最良の形態については一例であり、何ら限定されるものではなく、特許請求の範囲の記載における技術的思想の範囲内であれば、その他の色々な実施の形態に含まれる。
【００２１】
本発明の変色効果を有するインキに使用する着色剤は、有機溶剤に不溶性であり、かつ、堅ろう度の高い顔料と有機溶剤可溶性である油溶性染料を組み合わせて使用するものであり、その組合せは、好ましくは着色顔料の色に対して、補色の関係にある油溶性染料を使用するものである。
【００２２】
本発明の改ざん防止インキの色変化について図１を基に説明する。図１は一般的に公知であるＣＩＥ色度図であるが、横軸に図１の左側からｘ(０〜１)、縦軸に図１の下側からｙ(０〜１)をとり、図１の中心部（１）は無彩色を示し、右下（３）は赤色系で、ｘ０．５５１、ｙ０．２８１の数値で、左下（４）は青色系で、ｘ０．１５６、ｙ０．２２６の数値で、上部（２）は緑色系で、ｘが０．２２４、ｙ０．５０３の数値となっている。
【００２３】
ＣＩＥ色度図を参照し、Ｒ（赤色）の顔料を使用する場合には、色度図の反対方向にあるＢＧ（青緑色）の油溶性染料を組み合わせることが望ましいが、色度図のＹ（黄色）からＰ（紫色）の補色に隣接した色相の油溶性染料を使用することでも変色効果を示すことができる。
【００２４】
本発明は、着色剤、ワニス、体質顔料及び添加剤等の助剤で構成されるインキにおいて、着色剤は０．１〜２０重量％の有機溶剤可溶型の油溶性染料と１〜２０重量％の着色顔料であって、油溶性染料は着色顔料とΔＥ３０以上の色差であることを特徴とする変色効果を有するインキである。
【００２５】
本発明は、着色剤、ワニス、体質顔料及び添加剤等の助剤で構成されるインキにおいて、着色剤は二種類以上の着色顔料で構成され、少なくとも一つは１〜２０重量％の着色顔料であって、顔料と使用する顔料より堅ろう度の低い材料、例えば油溶性染料を使用し一般的に公知であるＣＩＥ色度図で反対位置にある色、補色同士の関係を用いて求める色相を作製し、有機溶剤を滴下及び浸漬した場合、瞬時に堅ろう度の高い顔料の色が残り、堅ろう度の低い材料は有機溶剤に溶け出すことで、顔料の色だけが残り大きく変色する。
【００２６】
本発明の変色効果を有するインキで使用する油溶性染料は、有機溶剤可溶型であれば公知のものを使用できるが、好ましくは、ケトン類及びエステル類等の有機溶剤に対して溶解性を示すものである。
【００２７】
なお、油溶性染料とは、主として有機溶剤、合成樹脂、油脂等の着色に用いられる染料であって、多くの場合単なる溶解現象により目的物を着色する点に特徴がある。また、ここでいう油溶とは、油脂類に溶解するという狭義の意味だけではなく、水以外の多くの有機溶剤に溶解性をもつ意味も含んでいる。すなわち、水溶性基がなく、油脂類や炭化水素類に可溶な染料であり、油脂、ガソリン、セッケン、バター、クツ墨及びプラスチック等の着色に用いられるものである。
【００２８】
なお、有機溶剤としては、エチルアルコール、イソプロピルアルコール、ノルマルプロピルアルコール及びブチルアルコール等といったアルコール類のような極性溶剤、ベンゼン、トルエン及びキシレン等といった芳香族炭化水素類のような非極性溶剤、ガソリン、石油、ベンジン、ミネラルスプリット等の脂肪族炭化水素類、トリクロロエチレン、パークロロエチレン、クロロホルム等といったハロゲン化炭化水素類、アセトン、アセトニトリル、ジイソブチルケトン、ジエチルケトン、ジプロピルケトン等といったケトン類、酢酸エチル及び酢酸ブチル等の酢酸エステル類等の公知の有機溶剤が挙げられる。
【００２９】
本発明の変色効果を有するインキに使用する着色顔料は、特に限定されず、公知の顔料を使用することができる。例えば、有機顔料としては酸性染料系レーキ及び塩基性染料系レーキ等といった染付けレーキ顔料、モノアゾイエロー、ジスアゾイエロー、β−ナフトール系、ナフトールＡＳ系、ピラゾロン系及びベンズイミダゾロン系等といった不溶性アゾ顔料をはじめ、縮合アゾ顔料及びアゾレーキ顔料等のアゾ系顔料、フタロシアニン系、キナクリドン系、アントラキノン系、ペリレン系、ペリノン系、インジゴ系、ジオキサジン系、キノフタロン系、イソインドリノン系及びジケトピロロピロール系等といった縮合多環系顔料等を使用することができる。
【００３０】
また、無機顔料としては、二酸化チタン、酸化亜鉛、鉄黒等の金属酸化物系顔料、コバルトグリーン、コバルトブルー、コバルトブラック等の複合酸化物系顔料、群青及び紺青等の金属錯塩系顔料、アルミペースト、アルミフレークパウダー、ブロンズ粉及び亜鉛粉等の金属粉系顔料、カーボンブラック及び真珠光沢顔料等の公知の無機顔料を使用することができる。
【００３１】
次に、本発明の変色効果インキの変色効果について図２を用いて説明する。インキについては、下記配合で灰色から青色に変色するインキ、暗緑色から橙色に変色するインキ、褐色から黄色に変色するインキ、暗青色から赤色に変色するインキ及び褐色から紫色に変色するインキを作製した。
【００３２】
[灰色系から青色に変化するオフセットインキ]
油溶性染料ＹＲ（橙色）        １５％
青色顔料                      １０％
黄色顔料                        ５％
ワニス                        ６０％
助剤                          １０％
計      １００％
【００３３】
[暗緑色系から橙色に変化するオフセットインキ]
油溶性染料ＢＫ（黒色）        １５％
橙色顔料                        ３％
黄色顔料                        ７％
青色顔料                        １％
ワニス                        ６４％
助剤                          １０％
計      １００％
【００３４】
[褐色系から黄色に変化するオフセットインキ]
油溶性染料Ｂ（青色）          １０％
油溶性染料Ｒ（赤色）            ５％
赤色顔料                        １％
青色顔料                        １％
黄色顔料                        ８％
ワニス                        ６５％
助剤                          １０％
計      １００％
【００３５】
[暗青色色系から赤色に変化するオフセットインキ]
油溶性染料ＢＫ（黒色）        １５％
青色顔料                        １％
赤色顔料                        ７％
黄色顔料                        １％
黒色顔料                        １％
ワニス                        ６５％
助剤                          １０％
計      １００％
【００３６】
[褐色系から紫色に変化するオフセットインキ]
油溶性染料Ｙ（黄色）          １５％
赤色顔料                        ８％
青色顔料                        ２％
黄色顔料                        １％
ワニス                        ６４％
助剤                          １０％
計      １００％
【００３７】
前述の変色効果インキについて、ＩＧＴ・テスティングシステムズ・ジャパンのＩＧＴ展色機を用いた膜厚３μｍの展色物を作成し、数日経過後、試薬特級アセトン（和光純薬工業（株）製）及び試薬特級酢酸エチル（和光純薬工業（株）製）を用いて３０秒間浸漬させ、印刷物の色相変化を目視並びに分光光度計で評価した。
【００３８】
印刷物の色相及び色差は、GretagMacbeth分光光度計（SpectroEye グレタグ社製）を使用し印刷物の色相（Ｌ＊、ａ＊、ｂ＊）及び(Ｘ、Ｙ、Ｚ)を測定し、色差（ΔＥ）及びｘｙｚを算出した。
【００３９】
前述の試験結果について図２を基に説明する。灰色から青色に変色するインキは色差がΔＥ２８〜２９、暗緑色から橙色に変色するインキは色差がΔＥ５８〜５９、褐色から黄色に変色するインキは色差がΔＥ７４〜７６、暗青色から赤色に変色するインキは色差がΔＥ４５〜４８、褐色から紫色に変色するインキは色差がΔＥ２２〜２５であり、目視による評価でも、すべての水準が溶剤浸漬前と後とでは、異なる色相として認識されるものであった。
【００４０】
前述の灰色から青色に変色するインキ及び褐色から紫色に変色するインキは、ΔＥによる評価では、ΔＥ２０〜３０程度と他のインキと比較して顕著な色相変化ではないように感じるが、ＣＩＥ色度図のｘ及びｙ軸の関係から評価すると、灰色から青色に変色するインキは、ｘ０．３５２、ｙ０．５５５の位置からｘ０．２６６、ｙ０．２７８の位置に、褐色から紫色に変色するインキは、ｘ０．４０２、ｙ０．６０１の位置からｘ０．３６、ｙ０．２８の位置に移動していることから、顕著な変色を示していることが分かる。
【００４１】
次に、前述の灰色系から青色に変化するインキと暗緑色系から橙色に変化するインキをペアインキとして用いた印刷物について図３を用いて説明する。図３の印刷物(５)は、灰色系から青色に変化するインキを用いた第一の変化領域(６)と、暗緑色系から橙色に変化するインキを用いた第二の変化領域により構成されている。この印刷物(５)を溶剤に３０秒間浸漬すると、第一の領域が青色に変色し、第二の領域が橙色に変色するため、双方の領域の色相が大幅に異なり、改ざんの痕跡を顕著に確認できる。
【００４２】
図４及び図５は、前述の印刷物について、ＣＩＥ色相環を用いて色相の変化を示した図であるが、図４の灰色から青色に変化するオフセットインキは、中心部分(１)から若干左方向にずれた位置(５)の色相であったものが、有機溶剤浸漬後には、右下方向の青色領域(４)又は左下の赤色領域(３)に近い部分に移動していることがわかる(６)。また、図５の暗緑色から橙色に変化するオフセットインキは、右下の青色領域(４)付近に位置(５)している色相であったものが、有機溶剤浸漬後には、緑色領域(２)と赤色領域(３)の間に移動(６)していることが分かる。
【００４３】
前述のＣＩＥ色相環を用いた色相変化の評価から、有機溶剤への浸漬前と浸漬後では、著しく色相が変化していることが分かるが、変色前後をｘ及びｙ軸から数値で比較すると、灰色から青色に変色するインキは、変色前の数値が、ｘ０．３５２、ｙ０．５５５の値からｘ０．２６６、ｙ０．２７８の値に、暗緑色から橙色に変化するインキは、ｘ０．３５３、ｙ０．５６８の値から、ｘ０．４７、ｙ０．３７１数値に変化していることからも顕著な変色効果が確認できる。
【００４４】
本発明の変色効果を有するインキは、印刷する基材は特に限定されず、紙、プラスチック、フイルム、金属板に印刷することができるとともに、本発明の変色効果を有するインキは、紙等の基材への印刷方式は特に限定されるものではなく、オフセット印刷方式、グラビア印刷方式、スクリーン印刷方式、フレキソ印刷方式、凹版印刷方式等の公知の印刷方式を使用することができる。
【実施例】
【００４５】
（実施例１）本発明の実施例として、変色効果を有する二種類の領域を有するインキ及び印刷物について図６、図７及び図８を用いて説明する。図６に示す二種類の変色効果を有するインキは、以下の配合により作製した。
【００４６】
[酸化重合乾燥型褐色系から青色に変色するオフセットインキ]
油溶性染料Ｒ（赤色）          １５％
青色顔料                        ３％
黄色顔料                        １％
赤色顔料                        １％
体質顔料                        ５％
ワニス                        ６５％
助剤                          １０％
計      １００％
【００４７】
[酸化重合乾燥型褐色系から黄色に変色する変色効果を有するインキ]
油溶性染料Ｒ（赤色）          ７％
油溶性染料Ｂ（青色）          ７％
黄色顔料                      ７％
赤色顔料                      １％
青色顔料                      １％
ワニス                      ６７％
助剤                        １０％
計      １００％
【００４８】
前述の二種類の変色効果を有するインキは、変色前は等色で、変色後にはΔＥ５０以上のインキである。このインキの色差を図６のＣＩＥ色相環を用いて説明する。褐色系から青色に変色するインキと褐色系から黄色に変色するインキは、変色前はともに変色前の領域(８)に存在し、ｘ及びｙ軸の関係から評価すると、褐色系から青色に変色するインキ青色領域(４)に近い方向に移動し、ｘが０．３７５、ｙが０．３４５の値からｘが０．２４４、ｙが０．５２５の値に移動し、褐色系から黄色に変色するインキは、緑色領域(２)方向に移動し、ｘが０．３７、ｙが０．３５８の値からｘが０．４０７、ｙが０．４７１の値に移動している。両インキの変色後の色差はΔＥ８９の色差である。
【００４９】
次に、前述のインキを用いた印刷物(１４)について、図７及び図８を用いて説明する。図７は、褐色系から青色に変色するインキにより第一の印刷領域(１５)を、褐色系から黄色に変色するインキにより第二の印刷領域を構成する印刷物(１４)である。なお、両インキは等色であるため、通常は不正(１６)の文字は視認されないが、図の説明上、不正(１６)の文字が確認できる図面としている。
【００５０】
この印刷物(１４)の溶剤浸漬後を示すのが図８であり、第一の印刷領域が青色に変色し、第二の印刷領域が黄色に変色するため、青色で構成する背景部分(１５)と黄色で構成する文字部分(１６)の変色により、不正の文字を視認することができ、改ざんの痕跡を顕著に確認することができる。
【００５１】
また、実施例１では褐色から青色及び褐色から黄色の変色効果を有するペアインキについて記載したが、その他の変色として褐色から赤色の等色インキも作製可能であることから、シアン、マゼンタ及びイエローの三原色に変色するインキを用いたフルカラーの模様を形成することも可能である。また、変色前の色相を褐色としているが、その他の色相として、暗緑色、灰色、暗青色、暗紫色及び黒色等の三原色を用いて作製できる色相であれば、すべての色相のインキを作製可能である(図示せず)。
【００５２】
(実施例２)次に、実施例２として、異なる３色のインキを用いた印刷物が、有機溶剤への浸漬により等色に変色するインキ及び印刷物(１７)について図９、図１０及び図１１を用いて説明する。
【００５３】
実施例２の印刷物(１７)に用いるインキは、灰色から青色に変色するインキ、褐色から青色に変色するインキ及び変色効果を有しない青色のインキの三種類とした。この三種類のインキの配合については以下に示す。
【００５４】
[灰色系から青色に変化するオフセットインキ]
油溶性染料ＹＲ（橙色）        １５％
青色顔料                      １０％
黄色顔料                        ５％
ワニス                        ６０％
助剤                          １０％
計      １００％
【００５５】
[酸化重合乾燥型褐色系から青色に変色するオフセットインキ]
油溶性染料Ｒ（赤色）          １５％
青色顔料                        ３％
黄色顔料                        １％
赤色顔料                        １％
体質顔料                        ５％
ワニス                        ６５％
助剤                          １０％
計      １００％
【００５６】
[酸化重合乾燥型の変色効果を有さない青色オフセットインキ]
青色顔料                      １１％
赤色顔料                        ６％
黄色顔料                        ３％
ワニス                        ７０％
助剤                          １０％
計      １００％
【００５７】
次に、前述の三種類のインキの色相について図９を用いて説明する。灰色から青色に変色するインキは、中心(１)からやや青色方向(４)の位置から青色(４)と赤色領域(３)の中心付近に変色し、褐色から青色に変色するインキは、中心(１)からやや赤色方向(３)の位置から青色(４)と赤色領域(３)の中心付近に変色し、変色効果を有さない青色インキは前述の二種類のインキの変色後の位置の色相である。これら三種類のインキは、変色後の色相がＣＩＥ色相環の同領域に位置するため、等色として視認される。
【００５８】
次に、実施例２の印刷物(１７)について図１０及び図１１を用いて説明する。図１０の印刷物(１７)は、灰色のインキにより第一の印刷領域として背景(１８)を形成し、褐色のインキにより第二の印刷領域として証明書(１９)という文字を形成し、青色のインキにより花びら模様(２０)である第三の印刷領域を形成している。
【００５９】
前述の印刷物(１７)を溶剤に浸漬した後の図が図１１であり、背景を形成する第一の印刷領域(１８)及び証明書の文字を形成する第二の印刷領域(１９)の色相が、花びらを形成する第三の領域(２０)と等色となるため、すべての領域が青色の背景として花びら模様(２０)と同化し、証明書の文字(１９)及び花びら(２０)による領域が消えることから青色一色の印刷物(１７)となる。そのため、改ざんの痕跡を確実に確認することができる。なお、図の説明上、証明書(１９)の文字及び花びら模様(２０)が確認できる図面としている。
【図面の簡単な説明】
【００６０】
【図１】ＣＩＥ色相環の色相を示す図
【図２】本発明のインキにて印刷した印刷領域の溶剤浸漬前後の色相変化を示す図
【図３】本発明のインキを用いた印刷物の一例を示す図
【図４】灰色色相可変インキ変化前後を示す図
【図５】暗緑色色相可変インキ変化前後を示す図
【図６】実施例１のペアインキにおける変色前後の色相を示す図
【図７】実施例１の印刷物を示す図
【図８】実施例１の印刷物の変色後を示す図
【図９】実施例２の三種類のインキにおける変色前後の色相を示す図
【図１０】実施例２の印刷物を示す図
【図１１】実施例２の印刷物の変色後を示す図
【符号の説明】
【００６１】
１  ＣＩＥ色度図の無彩色領域
２  ＣＩＥ色度図の緑色系領域
３  ＣＩＥ色度図の赤色系領域
４  ＣＩＥ色度図の青色系領域
５  印刷物
６  第一の変色領域
７  第二の変色領域
８  第一のインキにおける色相変化前の色領域
９  第二のインキにおける色相変化前の色領域
１０第三のインキにおける色相変化前の色領域
１１第一のインキにおける色相変化後の色領域
１２第二のインキにおける色相変化後の色領域
１３第三のインキにおける色相変化後の色領域
１４実施例１の印刷物
１５実施例１の第一の印刷領域
１６実施例１の第二の印刷領域
１７実施例２の印刷物
１８実施例２の印刷物における第一の印刷領域
１９実施例２の印刷物における第二の印刷領域
２０実施例２の印刷物における第三の印刷領域
【図１】
2009149789.tif 000003
【図２】
2009149789.tif 000004
【図３】
2009149789.tif 000005
【図４】
2009149789.tif 000006
【図５】
2009149789.tif 000007
【図６】
2009149789.tif 000008
【図７】
2009149789.tif 000009
【図８】
2009149789.tif 000010
【図９】
2009149789.tif 000011
【図１０】
2009149789.tif 000012
【図１１】
2009149789.tif 000013